(57)【特許請求の範囲】
【請求項１】
移動体電話機と有線または無線で接続するための接続装置を有し、現金もしくはクレジットカードによる精算処理時または商品販売時、客の購入に関する購入情報を前記接続装置から前記移動体電話機に送信するレジスタまたは自動販売機と、
このレジスタまたは自動販売機の接続装置に有線または無線で接続され、前記接続装置から送信された購入情報を受信し記憶して前記購入情報を前記レジスタまたは自動販売機に送信するとともに、前記レジスタまたは自動販売機から一致判別信号を受信すると、前記購入情報を基地局およびインタネット網を介して自動的にデータサーバに送信する移動体電話機と、
この移動体電話機から送信された購入情報を受信し、記憶するデータサーバと、
このデータサーバにインタネット網を介して接続され、データサーバに記憶された購入情報を閲覧するパソコンと
を具備することを特徴とする購入情報管理システム。
【請求項２】
データサーバは、受信した購入情報を編集して記憶することを特徴とする請求項１に記載の購入情報管理システム。
【請求項３】
パソコンは、閲覧に加えて、データサーバに記憶された購入情報をダウンロードおよび編集することができることを特徴とする請求項１に記載の購入情報管理システム。
【発明の詳細な説明】
【０００１】
【発明の属する技術分野】
本発明は、スーパーや自動販売機で買い物をしたときの購入情報を管理する購入情報管理システムに関する。
【０００２】
【従来の技術】
例えばスーパーで買い物をしたときは、レジに行って、店員によりレジスタで買い物の合計金額を計算してもらい、その合計金額を店員に支払い、それに対して店員は購入情報を記載したレシートをレジスタで発行して客に渡す。このときのレシートは紙で作られているのが一般的である。
【０００３】
一方、近年、パソコンや移動体電話機を用いた電子取引等が盛んになっている。家計簿等も最近はパソコン上のソフトウェアで管理するのが一般的になっている。
【０００４】
【発明が解決しようとする課題】
しかし、スーパーで渡された紙で作られたレシートを見ながらパソコンに購入情報を入力するのは非効率的であり、また紙の省資源化という点でも問題がある。また、自動販売機で商品を購入したときは、レシートの発行がないので、購入金額を忘れてしまい、家計簿の管理が不正確になる問題点があった。
【０００５】
本発明は上記の点に鑑みなされたもので、購入情報を効率的にかつ正確に管理することができ、しかも省資源化にも役立つ購入情報管理システムを提供することを目的とする。
【０００６】
【課題を解決するための手段】
本発明の購入情報管理システムは、移動体電話機と有線または無線で接続するための接続装置を有し、精算処理時または商品販売時、客の購入に関する購入情報を前記接続装置から前記移動体電話機に送信するレジスタまたは自動販売機と、このレジスタまたは自動販売機の接続装置に有線または無線で接続され、前記接続装置から送信された購入情報を受信し記憶して前記購入情報を前記レジスタまたは自動販売機に送信するとともに、前記レジスタまたは自動販売機から一致判別信号を受信すると、前記購入情報を基地局およびインタネット網を介して自動的にデータサーバに送信する移動体電話機と、この移動体電話機から送信された購入情報を受信し、記憶するデータサーバと、このデータサーバにインタネット網を介して接続され、データサーバに記憶された購入情報を閲覧するパソコンとを具備することを特徴とする。
【０００７】
このような購入情報管理システムにおいて、データサーバは、受信した購入情報を編集して記憶することが好ましい。さらに、パソコンは、閲覧に加えて、データサーバに記憶された購入情報をダウンロードおよび編集することができることが好ましい。
【０００８】
【発明の実施の形態】
次に添付図面を参照して本発明による購入情報管理システムの実施の形態を詳細に説明する。図１は本発明の購入情報管理システムの実施の形態を示す構成図である。この購入情報管理システムは、レジスタ１０と、移動体電話機２０と、データサーバ３０と、パソコン４０とからなる。
【０００９】
レジスタ１０は、スーパー等に置かれたレジスタであり、図示しないバーコード読取り部、キー入力部１０ａ、演算部、記憶部（共に図示せず）、表示部１０ｂ、レシート発行部１０ｃ等を有し、商品に添付されたバーコードなどを読取って客が購入した商品の合計金額を計算できるとともに、釣銭を計算し、さらにレシートを発行できる。また、レジスタ１０は、有線または無線で移動体電話機２０と接続するための接続装置１１を有し、客が購入した商品の合計金額を計算したりする精算処理時、客の購入に関する購入情報（購入月日、購入商品名、単価、個数、商品別合計、消費税、総合計、入金額、釣銭額等であり、レシートに記載される情報と同一または類似）を前記接続装置１１より送信する。接続装置１１は、有線で移動体電話機２０と接続する場合は外部接続端子であり、無線で移動体電話機と接続する場合は省電力無線装置である。省電力無線装置は、マスタとスレーブ間で近距離の双方向無線通信を行うシステムであり、周波数帯域は、特別な免許を必要とせず、ほぼ全世界で共通に使用できるＩＳＭ（２．４ＧＨｚ帯）を使用する。この省電力無線装置は、図２に示すように、ソフトウェアとして省電力無線装置のプロトコル１１ａを有するとともに、ハードウェアとしてベースバンド部１１ｂとＲＦ部１１ｃとを有する。なお、接続装置１１は、移動体電話機２０側からの情報を受信することもできる。
【００１０】
移動体電話機２０は、単体の移動体電話機、あるいは携帯情報端末（ＰＤＡ）に組み込まれた移動体電話機であり、有線または無線でレジスタ１０の接続装置１１と接続されて、レジスタ１０から送信される購入情報を受信でき、かつレジスタ１０に向けて情報を送信することもできる。ここで、移動体電話機２０が有線でレジスタ１０と接続される場合は、移動体電話機２０の図示しない外部接続端子をコードでレジスタ１０の接続装置１１（外部接続端子）に接続する。一方、移動体電話機２０が無線でレジスタ１０と接続される場合は、移動体電話機２０は図３に示すように移動体電話機回路２１の外、レジスタ１０の省電力無線装置と同一の省電力無線装置２２を備える。この省電力無線装置２２は、ソフトウェアとして省電力無線装置のプロトコル２２ａを有するとともに、ハードウェアとしてベースバンド部２２ｂとＲＦ部２２ｃとを有する。一方、移動体電話機回路２１は、ソフトウェアとして移動体電話機の通信プロトコル（ＰＤＣ、３ＧＰＰ等）２１ａを有するとともに、ハードウェアとしてベースバンド部２１ｂとＲＦ部２１ｃとを有する。なお、２３は、キー操作部やＬＣＤ表示部などのマンマシンインタフェイス（ＭＭＩ）であり、移動体電話機回路２１および省電力無線装置２２に接続される。
【００１１】
さらに、移動体電話機２０は、インタネット上のデータサーバ３０のアドレスを記憶しておくことにより、レジスタ１０から受信した購入情報を基地局５０およびインタネット網を介してインタネット上のデータサーバ３０に送信できる。データサーバ３０は編集ソフトを備え、受信した購入情報を家計簿形式に編集して記憶する。
【００１２】
パソコン４０は家庭に置かれたパソコンであり、このパソコン４０によりインタネット網を介してデータサーバ３０をアクセスすることにより、このデータサーバ３０内に記憶されている購入情報を家庭のパソコン４０の家計簿ソフトで閲覧できる。また、パソコン４０は、データサーバ３０内の購入情報をダウンロードでき、さらにはデータサーバ３０内の購入情報を編集できる。
【００１３】
以上のシステムによる購入情報の管理について図４のシーケンスを参照して説明する。客は商品を購入すると（ステップＳ１）、その商品を持ってレジに行く。すると、店員はレジスタ１０を使用して、客が購入した商品の金額を計算する（ステップＳ２）。客は、計算された金額に見合う金を支払う（ステップＳ３）。
このとき、クレジットカードを使用して金を支払うこともできる。すると、店員は入金額をレジスタ１０に入力し、またはクレジットカードをレジスタ１０にセットした後、レジスタ１０を操作して釣銭の計算とレシートの発行を行う（ステップＳ４）。
【００１４】
このとき、レジスタ１０からは、客の購入に関する購入情報が有線または無線で客所有の移動体電話機２０に送信される（ステップＳ５）（有線の場合は、勿論、送信前に予め移動体電話機２０をレジスタ１０に接続しておく）。すると、移動体電話機２０では、図３のＭＭＩ２３（ＬＣＤ表示部）で購入情報が簡易表示される（ステップＳ６）。客はそれを見て購入情報の内容を確認できる（ステップＳ７）。移動体電話機２０に送信された購入情報は移動体電話機２０に記憶されるとともに、移動体電話機２０からレジスタ１０に戻される（ステップＳ８）。すると、レジスタ１０は、移動体電話機２０に送信した購入情報と、移動体電話機２０から戻された（受信した）購入情報とが一致するか判別し（ステップＳ９）、もし一致しなければ、購入情報の再送、受信、一致判別を繰り返す。
【００１５】
一方、送信した購入情報と戻された購入情報が一致し、移動体電話機２０で正しく購入情報が受信されたとレジスタ１０が判断したときはＯＫ信号がレジスタ１０から移動体電話機２０に送信される（ステップＳ１０）。すると、移動体電話機２０は、記憶している購入情報を自動的に、記憶しているアドレスに基づいて基地局５０およびインタネット網を介してインタネット上のデータサーバ３０に送信する（ステップＳ１１）。データサーバ３０は、送信された購入情報を受信して編集ソフトにより編集して家計簿形式で購入情報を記憶する。その後、客は、自宅に戻った後、自宅のパソコン４０を使用してインタネット接続でデータサーバ３０をアクセスすることにより、自宅のパソコン４０でデータサーバ３０に記憶された購入情報を閲覧できる。さらに、データサーバ３０に記憶された購入情報を自宅のパソコン４０にダウンロードしたり、自宅のパソコン４０でデータサーバ３０内の購入情報を編集できる。
【００１６】
以上のように、上記のシステムによれば、例えばスーパーで買い物をしたとき、購入情報が自動的にレジスタ１０から客所有の移動体電話機２０を介してインタネット上のデータサーバ３０に送信され家計簿形式でデータサーバ３０に記憶され、客は自宅に帰った後、自宅のパソコン４０でデータサーバ３０内の購入情報を閲覧できる。したがって、スーパーで渡された紙で作られたレシートを見ながらパソコンに購入情報を入力する必要がなくなり、購入情報を効率的に管理できる。また、上記の説明ではレシートを発行したが、レシートの発行を省略して紙の省資源化を図ることもできる。
【００１７】
なお、上記の実施の形態は、スーパー等で買い物をしてレジスタ１０で精算処理したときの場合であるが、自動販売機で商品を購入したときも自動販売機から購入情報を移動体電話機２０に送信し、さらに移動体電話機２０からデータサーバ３０に送信して記憶させることができる。このようにすれば、自動販売機でレシートが発行されなくても、購入情報を正確に家計簿（データサーバ３０）に記載することができ、購入情報の管理が正確になる。
【００１８】
【発明の効果】
以上詳細に説明したように本発明の購入情報管理システムによれば、購入情報を効率的にかつ正確に管理することができ、しかも省資源化にも役立つ。
【図面の簡単な説明】
【図１】本発明による購入情報管理システムの実施の形態を示す構成図。
【図２】本発明の実施の形態で一態様としてレジスタに設けられる省電力無線装置の回路構成を示すブロック図。
【図３】本発明の実施の形態で一態様として使用される移動体電話機の回路構成を示すブロック図。
【図４】本発明の実施の形態の動作を示すシーケンス図。
【符号の説明】
１０    レジスタ
１１    接続装置
２０    移動体電話機
３０    データサーバ
４０    パソコン
５０    基地局
【図１】
0003881838.tif 000002
【図２】
0003881838.tif 000003
【図３】
0003881838.tif 000004
【図４】
0003881838.tif 000005